(57)【要約】【課題】開き戸機構付き引き戸装置において、引き戸体の開閉作動が静粛になるように構成する。【解決手段】引き戸体５を、上部バー６と、戸袋体１とともに開閉揺動する本体部７とにより構成する一方、前記本体部７と戸袋体１との間に、本体部７の戸尻側端部に設けられる支持受けローラ１４と該前記支持受けローラ１４を移動自在に支持するべく戸袋体１に左右方向長尺状に設けられる支持レール１５とにより構成した第一支持手段と、本体部７に左右方向長尺状に設けられる支持受けレール１６と該支持受けレール１６を相対移動自在に支持するべく戸袋体１の戸先側端部に設けられる支持ローラ１７とにより構成した第二支持手段とを設け、支持受けレール１６の戸先側部位に、戸先側ほど下方に突出する傾斜状のガイド面１８ｅを有したブロック体１８を設ける構成とする。【選択図】図８
2011032772.tif 000002
【特許請求の範囲】
【請求項１】
開口部の左右方向一半部に設けられ、開閉揺動可能に構成された戸袋体と、該戸袋体の戸袋姿勢において、戸袋体に沿ってスライド移動して開口部の他半部を開閉する引き戸体とを備え、前記引き戸体が開口部他半部を開放するスライド全開姿勢で引き戸体と戸袋体とが一体に開閉揺動して開口部を揺動全開姿勢とする開き戸機構付き引き戸装置において、前記引き戸体を、開口部上方に設けた走行レールに左右方向移動自在に吊持される上部バーと、戸先側端部が係止手段を介して上部バーに係脱自在に支持される本体部とにより構成するとともに、前記本体部と戸袋体との間に、本体部の戸尻側端部に設けられる支持受けローラと該支持受けローラを移動自在に支持するべく戸袋体に左右方向長尺状に設けられる支持レールとにより構成した第一支持手段と、本体部に左右方向長尺状に設けられる支持受けレールと該支持受けレールを相対移動自在に支持するべく戸袋体の戸先側端部に設けられる支持ローラとにより構成した第二支持手段とを設け、前記第二支持手段の支持受けレールの戸先側部位に、戸先側ほど下方に突出する傾斜状のガイド面を有したブロック体を設けて、引き戸体のスライド全開姿勢で本体部の戸先側端部を高位に強制変位させる構成としたことを特徴とする開き戸機構付き引き戸装置。
【請求項２】
支持ローラは、支持受けレールを相対移動自在に転動する転動面部と、該転動面部の両側に転動面部より大径のフランジ部が形成されるものとし、ブロック体は、支持ローラのフランジ部に対向する部位に位置して設けられていることを特徴とする請求項１に記載の開き戸機構付き引き戸装置。
【請求項３】
開口部の左右方向一半部に設けられ、開閉揺動可能に構成された戸袋体と、該戸袋体の戸袋姿勢において、戸袋体に沿ってスライド移動して開口部の他半部を開閉する引き戸体とを備え、前記引き戸体が開口部他半部を開放するスライド全開姿勢で引き戸体と戸袋体とが一体に開閉揺動して開口部を揺動全開姿勢とする開き戸機構付き引き戸装置において、前記引き戸体を、開口部上方に設けた走行レールに左右方向移動自在に吊持される上部バーと、戸先側端部が係止手段を介して上部バーに係脱自在に支持される本体部とにより構成するとともに、前記本体部と戸袋体との間に、本体部の戸尻側端部に設けられる支持受けローラと該支持受けローラを移動自在に支持するべく戸袋体に左右方向長尺状に設けられる支持レールとにより構成した第一支持手段と、本体部に左右方向長尺状に設けられる支持受けレールと該支持受けレールを相対移動自在に支持するべく戸袋体の戸先側端部に設けられる支持ローラとにより構成した第二支持手段とを設け、前記第一支持手段の支持レールの戸尻側部位に、戸尻側ほど低位となる傾斜状のガイド面を設けて、引き戸体のスライド全開姿勢で本体部の戸先側端部を高位に強制変位させる構成としたことを特徴とする開き戸機構付き引き戸装置。
【発明の詳細な説明】
【技術分野】
【０００１】
本発明は、建築物に形成される出入り口部に設けられる開き戸機構付き引き戸装置の技術分野に関するものである。
【背景技術】
【０００２】
一般に、出入り口部等の開口部を仕切る戸体としては、躯体に固定される戸袋体と、該戸袋体に積層状に設けられ、戸袋体に沿って開閉移動するように構成された引き戸体が汎用されている。ところがこのものでは、出入り自在となる部位は引き戸体が開放する部位のみであるため、出入りするスペースの大きさにどうしても限界がある。そこで、引き戸体が開口部の半部を全開とするスライド全開姿勢となったとき、戸袋体と引き戸体とが一体に開閉揺動する開き戸として作動するように構成して、開口部の出入りできるスペースを拡大するようにした開き戸機構付きの引き戸が提唱されている。
このようなものとしては、引き戸体を開口部上方に設けた走行レールに左右方向移動自在に吊持される上部バーと、開口部を開閉する本体部とにより構成し、上部バーと本体部とを、戸尻側において開閉揺動自在に枢支連結するとともに、戸先側において係止手段を介して係脱自在に連結して、戸袋体と引き戸体とが開閉揺動する場合では、上部バーと本体部との係止手段の係止解除がなされ、本体部のみが戸袋体とともに開閉揺動するようにしたものが提唱されている（特許文献１）。しかるに、前記特許文献１のものは、上部バーと本体部との間に設けられる係脱自在の係止手段に対し、本体部の荷重が全て作用するため、係止手段の係脱操作に大きな力が必要となり、戸袋体と引き戸体とを一体に開閉揺動するときの操作が重くなるという問題がある。
そこで、本発明者等は、戸袋体と本体部との間に、引き戸体のスライド全開姿勢において、本体部の戸先側端部が戸尻側端部よりも高位となるよう支持する支持手段を設けて、上部バーと本体部との係止手段の係脱操作が軽くなるようにしたものを提唱した（特許文献２）。
【先行技術文献】
【特許文献】
【０００３】
【特許文献１】実公平６−１１３４２号公報
【特許文献２】特願２００８−１９１３２２号
【発明の概要】
【発明が解決しようとする課題】
【０００４】
しかしながら、前記特許文献２のものは、支持手段を、本体部の戸尻側端部に設けた支持受けローラと、戸袋体に左右方向長尺状に設けられ、前記支持受けローラを移動自在に支持する支持レールとにより構成される第一支持手段と、本体部に左右方向長尺状に設けられる支持受けレールと、戸袋体の戸先側端部に設けられ、前記支持受けレールを相対移動自在に支持する支持ローラとにより構成される第二支持手段とにより構成して、本体部の荷重を分散して支持できるように構成するとともに、引き戸体のスライド全開姿勢で本体部の戸先側部位を支持する第二支持手段による上下方向の支持位置を、本体部の戸尻側部位を支持する第一支持手段による上下方向の支持位置より高位に設定して、上部バーと本体部との係止手段の係脱操作が軽減されるようにしている。これによって、本体部と上部バーとの係脱操作は軽快になるが、引き戸体をスライド開閉する過程で、本体部の戸先、戸尻の両端部とは、第二支持手段による支持部を基準として上下方向に相反する状態で変位するように構成されている。このため、全閉姿勢では本体部戸尻側が上動して第一支持手段の支持受けローラと支持レールとが離間しているが、スライド全開姿勢に変位する過程で本体部戸尻側が下動することにより支持受けローラと支持レールとが当接して当接音（異音）を発生して静粛性を損なうという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、開口部の左右方向一半部に設けられ、開閉揺動可能に構成された戸袋体と、該戸袋体の戸袋姿勢において、戸袋体に沿ってスライド移動して開口部の他半部を開閉する引き戸体とを備え、前記引き戸体が開口部他半部を開放するスライド全開姿勢で引き戸体と戸袋体とが一体に開閉揺動して開口部を揺動全開姿勢とする開き戸機構付き引き戸装置において、前記引き戸体を、開口部上方に設けた走行レールに左右方向移動自在に吊持される上部バーと、戸先側端部が係止手段を介して上部バーに係脱自在に支持される本体部とにより構成するとともに、前記本体部と戸袋体との間に、本体部の戸尻側端部に設けられる支持受けローラと該支持受けローラを移動自在に支持するべく戸袋体に左右方向長尺状に設けられる支持レールとにより構成した第一支持手段と、本体部に左右方向長尺状に設けられる支持受けレールと該支持受けレールを相対移動自在に支持するべく戸袋体の戸先側端部に設けられる支持ローラとにより構成した第二支持手段とを設け、前記第二支持手段の支持受けレールの戸先側部位に、戸先側ほど下方に突出する傾斜状のガイド面を有したブロック体を設けて、引き戸体のスライド全開姿勢で本体部の戸先側端部を高位に強制変位させる構成としたことを特徴とする開き戸機構付き引き戸装置である。
請求項２の発明において、支持ローラは、支持受けレールを相対移動自在に転動する転動面部と、該転動面部の両側に転動面部より大径のフランジ部が形成されるものとし、ブロック体は、支持ローラのフランジ部に対向する部位に位置して設けられていることを特徴とする請求項１に記載の開き戸機構付き引き戸装置である。
請求項３の発明は、開口部の左右方向一半部に設けられ、開閉揺動可能に構成された戸袋体と、該戸袋体の戸袋姿勢において、戸袋体に沿ってスライド移動して開口部の他半部を開閉する引き戸体とを備え、前記引き戸体が開口部他半部を開放するスライド全開姿勢で引き戸体と戸袋体とが一体に開閉揺動して開口部を揺動全開姿勢とする開き戸機構付き引き戸装置において、前記引き戸体を、開口部上方に設けた走行レールに左右方向移動自在に吊持される上部バーと、戸先側端部が係止手段を介して上部バーに係脱自在に支持される本体部とにより構成するとともに、前記本体部と戸袋体との間に、本体部の戸尻側端部に設けられる支持受けローラと該支持受けローラを移動自在に支持するべく戸袋体に左右方向長尺状に設けられる支持レールとにより構成した第一支持手段と、本体部に左右方向長尺状に設けられる支持受けレールと該支持受けレールを相対移動自在に支持するべく戸袋体の戸先側端部に設けられる支持ローラとにより構成した第二支持手段とを設け、前記第一支持手段の支持レールの戸尻側部位に、戸尻側ほど低位となる傾斜状のガイド面を設けて、引き戸体のスライド全開姿勢で本体部の戸先側端部を高位に強制変位させる構成としたことを特徴とする開き戸機構付き引き戸装置である。
【発明の効果】
【０００６】
請求項１、３の発明とすることにより、本体部がバランスよく支持されるとともに、引き戸体のスライド全開姿勢への変姿の過程で異音の発生がなく、引き戸体の静粛な開閉作動が実現する。
請求項２の発明とすることにより、ブロック体の支持レールへの組込み作業が容易で、しかも、強固に組込むことができる。
【図面の簡単な説明】
【０００７】
【図１】図１（Ａ）、（Ｂ）はそれぞれ開き戸機構付き引き戸装置の全閉姿勢における概略正面図、揺動全開姿勢における概略正面図である。
【図２】開き戸機構付き引き戸装置の作用を説明する平面図である。
【図３】開き戸機構付き引き戸装置の全閉姿勢における正面図である。
【図４】開き戸機構付き引き戸装置のスライド全開姿勢における正面図である。
【図５】図５（Ａ）、（Ｂ）はそれぞれ図３におけるＸ−Ｘ断面図、Ｙ−Ｙ断面図である。
【図６】図６（Ａ）、（Ｂ）はそれぞれブロック体の正面図、側面図であり、図６（Ｃ）はそれぞれ要部の作用を説明する正面図である。
【図７】図７（Ａ）、（Ｂ）はそれぞれ図６（Ｃ）における側面図、図６（Ｃ）におけるＸ−Ｘ断面図である。
【図８】図８（Ａ）は引き戸体の全閉姿勢における支持状態を説明する正面図、図８（Ｂ）は引き戸体のスライド全開姿勢における支持状態を説明する正面図である。
【図９】図９（Ａ）は図３におけるＺ−Ｚ断面図、図９（Ｂ）は図４におけるＸ−Ｘ断面図である。
【図１０】第二の実施の形態における開き戸機構付き引き戸装置の縦断面図である。
【図１１】第三の実施の形態における引き戸体のスライド全開姿勢における支持状態を説明する正面図である。
【発明を実施するための形態】
【０００８】
以下、本発明の実施の形態について、図面に基づいて説明する。
図中、１は例えば病院の集中治療室等の室内への出入り口部となる開口部の一半部を閉鎖する戸袋体であって、該戸袋体１は、表裏一対（室外側、室内側）のパネル体２、３を用いて構成されている。前記表裏パネル体２、３同士は、上下端面同士に一体化片１ａ、１ｂが設けられており、これによって、パネル体２、３同士が個別に動くことがなく、かつ、互いの対向間に所定間隙Ｈが形成される状態で連結されている。さらに、表裏パネル体２、３の戸尻側同士は、金属製材で構成される上下方向長尺状の連結金具１ｃを用いて一体的に連結されており、該連結金具１ｃの外周を断面半円形状のゴム質弾性材からなる緩衝体ＳＡにより覆蓋される構成となっている。一方、開口部上部を構成する上側枠体４と床面Ｆとには、戸袋体１の戸尻側に対向する箇所にそれぞれピボットヒンジ４ａ、４ｂが設けられており、これらピボットヒンジ４ａ、４ｂは、前記上下の一体化片１ａ、１ｂの戸尻側端部（一端部）に設けた軸受け部１ｄ、１ｅに軸承されている。これによって、戸袋体１は開口部に枢支され、上下のピボットヒンジ４ａ、４ｂを枢軸として、図１（Ａ）の図面手前側（表側）に向けて開閉揺動が可能となるように構成されている。
【０００９】
また、戸袋体１は、表裏何れか一方のパネル体２、３（本実施の形態では、裏側（室内側）のパネル体３）の戸先側に、落し錠装置Ｒが設けられる一方、上側枠体４と床面Ｆとには、前記落し錠装置Ｒ配設部に対向して凹溝状の錠受け部４ｃ、４ｄが形成されている。そして、落し錠装置Ｒの上、下ロッド１９、２０が錠受け部４ｃ、４ｄに没入する施錠状態となることにより、裏パネル体３の戸先側部位が上側枠体４と床面Ｆとに係止し、戸袋体１が開口部一半部を閉鎖する戸袋姿勢に保持されて戸袋としての機能を発揮し、上、下ロッド１９、２０が錠受け部４ｃ、４ｄから抜出して落し錠装置Ｒが解錠状態となることにより、戸袋体１がピボットヒンジ４ａ、４ｂを枢軸とする開閉揺動が可能となって開き戸としての機能を発揮するように構成されている。
【００１０】
また、５は開口部の他半部を開閉する引き戸体であって、該引き戸体５は、前記戸袋体１の上側一体化片１ａよりも上位に位置して設けられる左右方向長尺状の上部バー６と、開口部の他半部を閉鎖可能な大きさに設定された本体部７とを備えて構成されている。前記本体部７は、戸袋体１の対向間の所定間隙Ｈよりも薄い板厚を有し、かつ、戸袋体１の上下寸法よりも短い上下長さに構成され、表裏一対のパネル体２、３の対向間にスライド移動自在となるように構成されている。そして、上部バー６の戸先側には、表裏方向に貫通する貫通孔６ａを備えて構成される左右一対のフック体６ｂが下方に突出する状態で設けられている一方、本体部７の上端面には、前記フック体６ｂの貫通孔６ａに表裏方向の抜挿し操作をすることで係脱自在に係止する係止片７ａが上方に向けて突出形成されており、これら各一対のフック体６ｂと係止片７ａとで構成される係止手段がそれぞれ係止することにより、上部バー６と本体部７との戸先側部位が連結、支持されて、上部バー６と本体部７とがスライド開閉移動については一体作動するよう連結された引き戸体５を構成するように設定されている。
【００１１】
前記上側枠体４は、躯体開口部の上部に一体に設けられる長尺体で形成されており、該上側枠体４には、裏パネル体３の一方の面（本実施の形態では表側（室外側）の面）と略面一となるレール取付け面４ｅが形成されており、該レール取付け面４ｅに、走行レール８が開口部の略左右方向全長に亘って一体的に設けられている。前記走行レール８は、表側に突出する突片８ａの突出先端部に上方に膨出するレール部８ｂが形成される構成となっている。一方、前記引き戸体５の上部バー６の左右二箇所にはそれぞれローラブラケット９が設けられており、これら一対のローラブラケット９の裏面に、前記走行レール８のレール部８ｂに上側から係止してレール部８ｂ上を走行する走行ローラ９ａがそれぞれ回転自在に軸承されている。これによって、引き戸体５は、上部バー６が走行レール８に吊持状に支持され、該走行レール８に吊持される上部バー６に、本体部７の戸先側端部が吊持される状態となって走行レール８を走行するように構成されている。
【００１２】
このように構成された引き戸体５は、落し錠装置Ｒによる施錠がなされて戸袋体１が戸袋姿勢となっている状態において、本体部７と上部バー６とが係止状態（一体）となっており、本体部７に設けた把手７ｂを把持して左右方向のスライド開閉する操作がなされた場合に、上部バー６側に設けられる走行ローラ９ａが走行レール８のレール部８ｂを走行してスライド移動する引き戸装置として作動するように構成されている。そして、引き戸体５は、図１（Ａ）、図２に示すように、本体部７の戸尻側端部が戸袋体１の戸先側部位に位置して、開口部他半部を閉鎖して開口部全域が閉鎖される全閉姿勢から、図２における仮想線、図３に示すように、本体部７の戸先側部位を除く部位が戸袋体１内（表裏パネル体２、３の対向間）に位置し、開口部の他半部を開放するスライド全開姿勢に変姿して開口部他半部をスライド開閉するように構成されている。この場合に、引き戸体５の上部バー６は走行レール８に吊持される状態で、戸袋体１の上側一体化片１ａの上方をスライド移動する一方、本体部７は、戸先側部位については上部バー６による吊持支持を受け、戸尻側部位については戸袋体１の表裏パネル体２、３との間に設けられる後述する第一、第二支持手段による支持を受ける状態でスライド移動するように構成されている。これによって、本体部７は上部バー６による片持ち状の支持だけでなく、戸袋体１との間の支持手段による支持を受けることになって、引き戸体５が引き戸として作動する場合に、引き戸体５の支持バランスが良好で、スライド移動が円滑になされるように構成されている。
【００１３】
そして、前記引き戸体５のスライド全開姿勢において、戸袋体１に設けた落し錠装置Ｒを解錠して戸袋体１を開閉揺動自在な状態とするとともに、戸袋体１を表側に向けて開放揺動操作がなされると、該戸袋体１の表側への変位に伴い本体部７が一体に開放揺動するように構成されている。このとき、引き戸体５は、本体部７の係止片７ａが上部バー６のフック体６ｂから抜出し、上部バー６と本体部７との係止が解除されて上部バー６と本体部７とが互いに自由状態となり、上部バー６は開口部上方の走行レール８に吊持されたままの状態で、本体部７のみが戸袋体１とともに揺動（開閉揺動）して開口部一半部を開放する開き戸として作動するように構成されている。このようにすることにより、戸袋体１と本体部７とは、開口部の一半部を閉鎖する戸袋体１の戸袋姿勢（本体部７のスライド全開姿勢）から、図１（Ｂ）、図２における仮想線で示すように、開口部の一半部を含む開口部全域を開放する揺動全開姿勢に変姿して、開口部全域を開閉揺動する開き戸機構付き引き戸装置となるように構成されている。
【００１４】
尚、１０は自動閉鎖装置であって、ワイヤ１０ａを介して引き戸体５の上部バー６側（ローラブラケット９）に連結され、引き戸体５が引き戸として開放作動した場合に引き戸体５を自閉させるように構成されている。１１は制動装置であって、引き戸体５が引き戸として閉鎖作動する場合に所定の速度範囲内に制動するように構成されている。１２、１２ａはエンドストッパ、エンドストッパ受けであって、引き戸体５が引き戸として作動する場合に引き戸体５のスライド全開姿勢への変姿に伴い上部バー６を係止して、引き戸体５（上部バー６）をスライド全開姿勢に保持するように構成されている。
尚、１３は、戸袋体１を戸袋姿勢に位置決めする位置決め部材、１３ａは、戸袋体１の揺動全開姿勢を越える開放揺動を規制する位置決め部材である。また、４ｆは、上側枠体４の表側に設けられ、上側枠体４に設けられる走行レール８や前記各主部材を覆蓋するカバー体である。
【００１５】
つぎに、戸袋体１と、引き戸体５の本体部７との間に設けられる第一、第二支持手段について図３、４、図５（Ａ）に基づいて説明する。
前記第一支持手段は、前記本体部７表面と戸袋体１（表パネル体２）との間に設けられており、本体部７表面の上部戸尻側端部から表パネル体２側に向けて突出状に設けられる支持受けローラ１４と、表パネル体２の裏面上部に左右幅一体に設けられる長尺状の支持レール１５とにより構成されている。前記支持レール１５は、表パネル体２に固定される固定片１５ａと、該固定片１５ａの上端部から裏方、および、上方に向けて突出し、表パネル体２の裏面から離間するレール片１５ｂを備えて構成されている。また、支持受けローラ１４は、支持レール１５のレール片１５ｂを転動する転動面部１４ａと、該転動面部１４ａの回転軸芯方向両側部から外径側に突出して転動面部１４ａより大径となり、転動面部１４ａがレール片１５ｂを移動するとき、レール片１５ｂの表裏面に表裏方向から対向するフランジ部１４ｂとを備えて構成されている。そして、支持受けローラ１４の転動面部１４ａを支持レール１５のレール片１５ｂに対して上側から載置するように組込むことにより、支持受けローラ１４が支持レール１５の支持を受け、フランジ部１４ｂによりレール片１５ｂに対して表裏方向の抜止めがなされた状態で転動面部１４ａがレール片１５ｂ上を移動自在に転動（走行）するように構成されている。
【００１６】
また、第二支持手段は、本体部７裏面上部に左右幅一体に設けられる長尺状の支持受けレール１６と、裏パネル体３表面の戸先側端部における上部から本体部７側に向けて突出状に設けられる支持ローラ１７とにより構成されている。前記支持受けレール１６は、本体部７裏面に固定される固定片１６ａと、該固定片１６ａの下端部から裏方、および、下方に向けて突出し、本体部７の裏面から離間するレール片１６ｂを備えて構成される一方、支持ローラ１７は、支持受けレール１６のレール片１６ｂを転動する転動面部１７ａと、該転動面部１７ａの回転軸芯方向両側部から外径側に突出して転動面部１７ａより大径となり、転動面部１７ａがレール片１６ｂを移動するとき、レール片１６ｂの表裏面に表裏方向から対向するフランジ部１７ｂとを備えて構成されている。そして、支持受けレール１６のレール片１６ｂを支持ローラ１７の転動面部１７ａに対して上側から載置するように組込むことにより、支持受けレール１６が支持ローラ１７の支持を受け、フランジ部１７ｂによりレール片１６ｂに対して表裏方向の抜止めがなされた状態で転動面部１７ａがレール片１６ｂを移動自在に転動することで、支持受けレール１６の支持ローラ１７に対する相対移動がなされるように構成されている。
尚、本実施の形態において、第一、第二支持手段とは、引き戸体５の全閉姿勢からスライド全開姿勢になる少し前の段階までの間、本体部７を水平姿勢に保持するように設定されている。
【００１７】
このように支持される本体部７は、引き戸体５の全閉姿勢において、図３に示すように、上部バー６による戸先側の支持と、第一、第二支持手段による戸尻側の支持とがなされており、この状態では、本体部７の荷重は戸先側および戸尻側の各支持部とに分散するように構成されている。そして、この状態から引き戸体５がスライド開放した場合では、本体部７は、上部バー６による戸先側の支持と、第一支持手段である支持受けローラ１４と支持レール１５とによる戸尻側の支持と、第二支持手段である戸袋体１の戸先側端部における支持受けレール１６と支持ローラ１７とによる本体部７の左右方向中間部の支持との三箇所で支持されるように構成され、本体部７がスライド全開姿勢に変姿する過程で、上部バー６が受け止める本体部７の荷重と、戸袋体１側の支持となる第一、第二支持手段により受け止める本体部７の荷重とが次第に変化するように構成されている。そして、本体部７の荷重は、戸袋体１に引込まれる面積が多くなる（開口部他半部の開放量が大きくなる）に従い、第一、第二支持手段により受け止められる荷重の割合が増大して、本体部７がスライド全開姿勢となった状態では、大部分の荷重が第一、第二支持手段により受止められて、引き戸体５のスライド全開姿勢では、上部バー６と本体部７との吊持状の連結部に作用する本体部７の荷重（負荷であって、フック体６ｂに吊持する係止片７ａの吊持力（係止力））が軽減されるように構成されている。
【００１８】
そして、第二支持手段を構成する支持受けレール１６の戸先側部位には本発明が実施されたブロック体１８が一体的に設けられており、引き戸体５がスライド全開姿勢になる前の段階で、レール片１６ｂが転動面部１７ａに干渉する状態から、ブロック体１８が支持ローラ１７に干渉しつつ戸尻側に相対移動する状態となることにより、上部バー６に対して本体部７が次第に高位に変位し、引き戸体５がスライド全開姿勢に変姿することに伴い、本体部７の戸先側部位が戸尻側に対して高位となるよう強制変位するように構成されている。これによって、本体部７の荷重は、戸尻側の第一支持手段による支持部と、該支持部よりも本体部７を高位に支持する戸先側の第二支持手段による支持部とにより支持されて、上部バー６と本体部７との連結部においては係止片７ａがフック体６ｂに対して浮いた状態となり、本体部７を戸袋体１とともに開き戸として作動させる場合に、係止片７ａとフック体６ｂとの挿抜操作（抜挿し操作、係脱操作）が軽快、かつ、円滑な操作となるように構成されている。
【００１９】
前記支持受けレール１６はアルミ型材で形成されており、前述したように、固定片１６ａとレール片１６ｂとを備え、本体部７の裏面上端部に設けられているが、支持受けレール１６の戸先側端部は、上部バー６との連結をするための左右一対の係止片７ａの間となる位置に達する長さで設けられている。また、支持受けレール１６は、レール片１６ｂが支持ローラ１７の転動面部１７ａを転動して左右方向に移動する状態において、固定片１６ａの下端面と支持ローラ１７の本体部７側（表側）のフランジ部１７ｂとが近接対向するように構成されている。そして、前記固定片１６ａ戸先側端部のフランジ部１７ｂに対向する下端部に、下方が開口する取付け凹溝１６ｃが所定の左右方向長さを存して凹設されており、該取付け凹溝１６ｃを用いて前記ブロック体１８が固定されるように構成されている。
【００２０】
前記ブロック体１８は樹脂材により左右方向所定の長さで一体形成された長尺体であって、図６（Ａ）、（Ｂ）に示すように、上半部に前記取付け凹溝１６ｃに挿し込まれる連結部１８ａが形成され、下半部に連結部１８ａより表裏方向幅広に形成され、支持受けレール１６の固定片１６ａの下端面から下方に突出してレール片１６ｂと本体部７の裏面との間に位置するガイド部１８ｂが形成されている。そして、ブロック体１８は、図６（Ｃ）、図７に示すように、連結部１８ａを取付け凹溝１６ｃに挿し込んで、取付け凹溝１６ｃの溝側片に開設された左右方向複数の螺子孔１６ｄと、連結部１８ａに開設された左右方向複数の貫通孔１８ｃとを用いて螺子１８ｄにより螺着することで支持受けレール１６に一体化されている。
前記ブロック体１８の組込み状態において、ブロック体１８のガイド部１８ｂは、支持受けレール１６の固定片１６ａの下端部から突出してレール片１６ｂに隣接して設けられており、ブロック体１８が支持ローラ１７に対向したとき、ガイド部１８ｂの下端面が表側（本体部７側）のフランジ部１７ｂに対向するように設定されている。さらに、前記ガイド部１８ｂの下端面は、戸尻側部位に戸先側ほど下方に突出する傾斜状の傾斜ガイド面１８ｅが形成され、戸先側部位には前記傾斜ガイド面１８ｅの突出端に続く水平ガイド面１８ｆが形成されており、引き戸体５をスライド全開姿勢としたとき、前記戸先側の水平ガイド面１８ｆが、裏パネル体３に設けた支持ローラ１７のフランジ部１７ｂに対向して支持を受けるように設定されている。ここで、フランジ部１７ｂが水平ガイド面１８ｆを支持することによる本体部７の支持高さは、支持ローラ１７の転動面部１７ａがレール片１６ｂを支持することによる本体部７の支持高さよりも高くなるように設定されている。これによって、図６（Ｃ）、図７（Ａ）の実線で示すように、フランジ部１７ｂが水平ガイド面１８ｆを支持する状態になると、レール片１６ｂが転動面部１７ａから離間し、支持受けレール１６の戸先側部位が、躯体に固定される部材であって、戸袋体１（支持ローラ１７）や上部バー６等の部材に対して変位量Ｈを存して高位に変位するように設定されている。
【００２１】
このように支持された引き戸体５において、引き戸体５（本体部７）が全閉姿勢からスライド全開姿勢に変姿する過程で、支持受けレール１６は、ブロック体１８の設けられていない戸尻側部位のレール片１６ｂが支持ローラ１７の転動面部１７ａに移動自在に支持される状態（図５（Ａ）、（Ｂ）、図６（Ｃ）の仮想線、図７（ａ）の仮想線参照）で戸尻側に向けて移動し、引き戸体５がスライド全開姿勢になる前の段階になると、支持受けレール１６のブロック体１８配設部位が裏パネル体３の戸先側に設けた支持ローラ１７に達するように構成されている。そして、ブロック体１８が設けられた部位が支持ローラ１７配設部位に達すると、支持受けレール１６のレール片１６ｂとブロック体のガイド部１８ｂとが支持ローラ１７の転動面部１７ａとフランジ部１７ｂとの両者に対向する状態となる。そして、この状態からさらに本体部７の戸尻側への移動がなされると、傾斜ガイド面１８ｅが本体部７に近接するフランジ部１７ｂに移動自在に干渉（当接）してレール片１６ｂを転動面部１７ａから離間させ、レール片１６ｂが転動面部１７ａに当接支持される状態から、傾斜ガイド面１８ｅがフランジ部１７ｂに当接支持される状態に切換わり、図７（Ｂ）に示すように、支持受けレール１６が戸袋体１（支持ローラ１７）、上部バー６等の躯体側部材に対して強制的に順次上動するように構成されている。
【００２２】
そして、引き戸体５がスライド全開姿勢となることに伴い、フランジ部１７ｂに対向する面が傾斜ガイド面１８ｅから水平ガイド面１８ｆに至り、この状態では、前述したように、支持受けレール１６が支持ローラ１７に対し変位量Ｈを存して上動しており（図６（Ｃ）、図９（Ｂ）参照）、これによって、本体部７の戸先側が上部バー６に対して高位に変位して、戸先側の左右一対の係止片７ａが上部バー６の各フック体６ｂに対して浮いた状態となって、係止片７ａのフック体６ｂに対する挿抜操作（係止部の係脱操作）が軽快、かつ、円滑になるように構成されている。
このとき、支持受けレール１６と支持ローラ１７とは、レール片１６ｂと転動面部１７ａとの当接、ブロック体１８のガイド部（傾斜ガイド面１８ｅ、水平ガイド面１８ｆ）とフランジ部１７ｂとの何れかの当接支持がなされており、支持受けレール１６の戸先側部位を強制上動させる場合に当接音（異音）を発生することがなく、引き戸体５の静粛な開閉作動ができるように構成されている。
また、ブロック体１８は、支持ローラ１７の転動面部１７ａに対向するレール片１６ｂではなく、フランジ部１７ｂに対向する固定片１６ａに位置して設ける構成としたので、ブロック体１８を支持受けレール１６に組込む作業が容易になり、しかも、ブロック体１８の連結部１８ａが嵌入する取付け凹溝１６ｃの溝幅（前後方向長さ）を広く確保することができて、ブロック体１８の支持受けレール１６への組込み強度を高めることができるように構成されている。
【００２３】
因みに、本実施の形態においては、上部バー６と本体部７との連結部である左右一対の係止片７ａとフック体６ｂとによる二箇所の係止部は、引き戸体５のスライド全開姿勢において裏パネル体３の戸先側端部に設けられた支持ローラ１７の左右両側に位置するように設定されている。このため、前記スライド全開姿勢において、支持ローラ１７がブロック体１８に干渉することで本体部７の戸先側部位を上部バー６に対して強制的に高位に変位させたとき、二箇所の係止片７ａを各フック体６ｂに対して同じような変位量で浮せることができる。
また、ブロック体１８のガイド部１８ｂは、引き戸体５のスライド全開姿勢では水平ガイド面１８ｆが支持ローラ１７のフランジ部１７ｂからの支持を受けており、これによって、スライド全開姿勢の引き戸体５（本体部７）が不安定になって閉鎖側に動いてしまうような不具合がなく、スライド全開姿勢が安定して保持されるように構成されている。
さらに、支持受けレール１６が強制的に上動する変位量Ｈは、フック体６ｂの貫通孔６ａにおける係止片７ａの上下方向の遊びよりも短く設定されており、支持受けレール１６が強制上動した場合に、係止片７ａが貫通孔６ａの上側の孔縁に押し付けられて挿抜操作ができ難くなるような不具合がないように配慮されている。
【００２４】
叙述の如く構成された本形態において、引き戸体５は走行レール８に沿ってスライド開閉することにより引き戸として作動し、引き戸体５が開口部の他半部を開放するスライド全開姿勢となったときには、引き戸体５（本体部７）が戸袋体１とともに表側に開放揺動することにより開き戸として作動できるように構成されている。このものにおいて、本体部７は、第二支持手段の支持受けレール１６に設けられたブロック体１８により、引き戸体５がスライド全開姿勢となることに伴い、上部バー６に対し本体部７の戸先側部位が上動し、係止片７ａがフック部６ｂに対して浮く状態となって、上部バー６と本体部７とを係脱する操作が軽快、かつ、円滑になり、操作性の優れた開き戸機構付き引き戸装置とすることができる。そして、この場合に、支持受けレール１６のレール片１６ｂが支持ローラ１７の転動面部１７ａにより支持される状態から、支持受けレール１６に設けたブロック体１８のガイド部１８ｂがフランジ部１７ｂにより支持される状態に切換わることにより、本体部７の戸先側部位が高位に変位する構成として、支持受けレール１６が支持ローラ１７から離間することがないようにしたので、従来のもののように、引き戸体５がスライド全開姿勢に変姿する過程で当接音が発生するようなことがなく、引き戸体５の静粛な開閉作動を実現することができる。
しかも、本体部７は、戸袋体１に対して第一、第二支持手段を介して支持されているので、本体部７をスライド開閉させる場合に、何れの開放位置においてもバランスよく支持することができるという利点がある。
【００２５】
さらに、このものにおいて、ブロック体１８は、支持ローラ１７の転動面部１７ａではなくフランジ部１７ｂに対向する部位であって、支持受けレール１６の固定片１６ａに設ける構成としたので、ブロック体１８を支持受けレール１６に組込む作業が容易であるばかりでなく、ブロック体１８を強固に組込むことができる。
【００２６】
尚、本発明は前記実施の形態に限定されないことは勿論であって、図１０に示す第二の実施の形態のように構成することができる。
前記第二の実施の形態において、戸袋体２１は一枚状のパネル体で構成されており、引き戸体２２は、戸袋姿勢の戸袋体２１の表面に沿ってスライド開閉移動する構成となっている。そして、引き戸体２２は、上部バー２２ａと本体部２２ｂとにより構成されること、上部バー２２ａと本体部２２ｂとが、戸先側端部において図示しない係止手段を介して係脱自在に係止する構成であること、上部バー２２ａが走行レール８を走行する構成であること等、基本的な構成は前記第一の実施の形態と同様となっている。また、戸袋体２１と本体部２２ｂとの間に設けられる支持手段は、本体部２２ｂ戸尻側端部の裏面に設けた支持受けローラ２３、および、戸袋体２１の表側面（本体部２２ｂ側面）に左右方向長尺状に設けられ、前記支持受けローラ２３を表裏方向抜止め状に、かつ、左右方向移動自在に支持する支持レール２４により構成される第一支持手段と、本体部２２ｂの裏面に左右方向長尺状に設けられる支持受けレール２５、および、戸袋体２１表面の戸先側端部に設けられ、前記支持受けレール２５が表裏方向抜止め状に、かつ、左右方向移動自在に支持される支持ローラ２６により構成される第二支持手段とで構成されている。そして、第二支持手段の支持受けレール２５の戸先側部位に、前記第一の実施の形態と同様のブロック体１８が設けられる構成となっている。
そして、前記第一の実施の形態と同様に、引き戸体２２のスライド開閉移動の際に、引き戸体２２がスライド全開位置に近付くに従い、支持受けレール２５に設けたブロック体１８が支持ローラ２６のフランジ部２６ａに干渉することで、本体部２２ｂが次第に高位に変位し、引き戸体２２のスライド全開姿勢への変姿に伴い、本体部２２ｂの戸先側端部が高位に持ち上げられる（上動する）構成となっている。そして、この場合でも、上部バー２２ａとの係止手段の係脱操作が軽快になって操作性に優れ、しかも、スライド開閉作動において静粛な操作が可能な開き戸機構付き引き戸装置することができる。
【００２７】
さらに、図１１に示す第三の実施の形態のようにすることもできる。
前記第三の実施の形態において、戸袋体２７は表裏一対のパネル体２７ａ、２８ｂで構成されており、引き戸体２８は、戸袋姿勢の戸袋体２７の表裏一対のパネル体２７ａ、２７ｂの対向間に沿ってスライド開閉移動する構成となっている。そして、引き戸体２８は、上部バー２８ａと本体部２８ｂとにより構成され、上部バー２８ａと本体部２８ｂとは、戸先側端部においてフック体２８ｃと係止片２８ｄとによる一ヶ所の係止手段を介して係脱自在に係止する構成となっており、上部バー２８ａが図示しない走行レールを走行する構成となっている。さらに、戸袋体２７と本体部２８ｂとの間には、本体部２８ｂ戸尻側端部の表面に設けられる支持受けローラ２９、および、戸袋体２７の表パネル体２７ａの裏面に左右方向長尺状に設けられ、前記支持受けローラ２９を表裏方向抜止め状に、かつ、左右方向移動自在に支持する支持レール３０により構成される第一支持手段と、本体部２８ｂの裏面に左右方向長尺状に設けられる支持受けレール３１、および、戸袋体２７の裏パネル体２７ｂ表面の戸先側端部に設けられ、前記支持受けレール３１が表裏方向抜止め状に、かつ、左右方向移動自在に支持される支持ローラ３２により構成される第二支持手段とが設けられており、これらの各構成は前記第一の実施の形態と同様となっている。
そして、第三の実施の形態において、第一支持手段の支持レール３０の戸尻側部位には、戸尻側ほど低位となる傾斜状のガイド面３０ａと、該ガイド面３０ａの最低位部に続く水平面３０ｂとが形成されている。そして、引き戸体２８をスライド全開姿勢に変姿させた場合に、上部バー２８ａと本体部２８ｂとの係止部は、第二支持手段による支持部より戸先側に位置している一方、本体部２８ｂの戸尻側部位の支持受けローラ２９が前記ガイド面３０ａを経由して水平面３０ｂに位置するように設定されている。これによって、本体部は、第二支持手段による支持部を支点として戸尻側が低位に、戸先側が高位になるよう強制変位せしめられ、上部バー２８ａと本体部２８ｂとの係止手段である係止片２８ｄがフック体２８ｃに対して浮いた状態となるように構成されている。
そして、この構成においても、本体部２８ｂが上部バー２８ａに対して上動し、本体部２８ｂと上部バー２８ａとの間に設けられるフック体２８ｃに対する係止片２８ｄの係脱操作が軽快、かつ、円滑になるように構成されている。しかも、この場合に、支持受けローラ２９が支持レール３０から離間することがなく、本体部２８ａの戸先側端部を高位に変位させるときに異音が発生するような不具合がないようにできる。
【産業上の利用可能性】
【００２８】
本発明は、通常は引き戸として機能し、必要において戸袋体とともに開き戸として機能するように構成された開閉装置に利用することができる。
【符号の説明】
【００２９】
１  戸袋体
２  表パネル体
３  裏パネル体
４  上側枠体
５  引き戸体
６  上部バー
６ｂ  フック体
７  本体部
７ａ  係止片
９  ローラブラケット
１４  支持受けローラ
１５  支持レール
１６  支持受けレール
１６ａ  固定片
１６ｂ  レール片
１６ｃ  取付け凹溝
１７  支持ローラ
１７ａ  転動面部
１７ｂ  フランジ部
１８  ブロック体
１８ａ  連結部
１８ｂ  ガイド部
１８ｅ  傾斜ガイド面
１８ｆ  水平ガイド面
【図１】
2011032772.tif 000003
【図２】
2011032772.tif 000004
【図３】
2011032772.tif 000005
【図４】
2011032772.tif 000006
【図５】
2011032772.tif 000007
【図６】
2011032772.tif 000008
【図７】
2011032772.tif 000009
【図８】
2011032772.tif 000010
【図９】
2011032772.tif 000011
【図１０】
2011032772.tif 000012
【図１１】
2011032772.tif 000013